【手続補正書】
【提出日】平成23年1月14日(2011.1.14)
【手続補正１】
【補正対象書類名】特許請求の範囲
【補正対象項目名】全文
【補正方法】変更
【補正の内容】
【特許請求の範囲】
【請求項１】
吸収コア（２２）と、腰部開口を形成する円周方向に完全に閉じたウェストエッジ（２０）を有する本体形成外被（２１）と、脇端縁区域（１６，１８）を有する腹側部（６）および背側部（４）と、腹側部（６）と背側部（４）との間に配置された大腿用開口（８ａ，ｂ）を形成する股領域（１０）と、縦方向に延びる縦中心軸（Ｌ）と、前記股領域（１０）の中央を貫いて横方向に延びて前記股領域を腹側の股領域（１０ａ）と背側の股領域（１０ｂ）とに区分する横中心軸（Ｑ）とを含んでなる使い捨てパンツ形吸収性衛生用品（２００）であって、円周方向に完全に閉じた前記ウェストエッジ（２０）と前記大腿用開口（８ａ，ｂ）とは前記本体形成外被（２１）の腹側部（６）と背側部（４）との脇端縁区域（１６，１８）が互いに結合されることによって形成され、それぞれの大腿用開口（８ａ，ｂ）は前記腹側の股領域（１０ａ）内に前記それぞれの大腿用開口の第１の区域（３０）に沿って配置された第１の糸状または帯状伸縮手段（１）を有し、前記背側の股領域（１０ｂ）は前記それぞれの大腿用開口（８ａ，ｂ）の第２の区域（３２）に沿って配置された第２の糸状または帯状伸縮手段（２）を有し、前記背側の股領域（１０ｂ）はさらに前記吸収コア（２２）のそれぞれの縦方向端縁（５）と前記それぞれの大腿用開口（８ａ，ｂ）との間に大腿用開口近接領域から出発して前記縦中心軸方向に向かう横方向成分（ＱＱ）ならびに前記背側部（４）の方向に向かう縦方向成分（ＬＬ）の双方を有する１方向に配向された伸縮要素（Ｅ）を有するように構成した前記衛生用品であって、
前記伸縮要素（Ｅ）は、前記第２の糸状または帯状伸縮手段が先ずそれぞれの大腿用開口の前記第２の区域（３２）に沿って前記横中心軸（Ｑ）の方向に向かって延び、続いて、ｕ字形またはｖ字形を描いて前記大腿用開口近接領域から出発して、前記縦中心軸（Ｌ）の方向に向かう横方向成分ＱＱならびに前記背側部（４）の方向に向かう縦方向成分ＬＬの双方を有する１方向に延びることにより、前記第２の糸状または帯状伸縮手段（２）の延長によって形成され、前記伸縮要素（Ｅ）の縦方向成分（ＬＬ）の長さは２．５〜２１．０ｃｍであり、横方向成分（ＱＱ）の長さは２．０〜１８．０ｃｍであることを特徴とする衛生用品。
【請求項２】
前記背側の股領域（１０ｂ）は前記横中心軸（Ｑ）に直接隣接する内側領域（１０ｂ１）と、前記内側領域（１０ｂ１）に連続して前記背側部に達するまで縦方向に延びる外側領域（１０ｂ２）とを有し、前記それぞれの大腿用開口（８ａ，ｂ）の前記第２の区域（３２）に沿って配置された前記第２の糸状または帯状伸縮手段（２）ならびに前記伸縮要素（Ｅ）はいずれももっぱら前記外側領域（１０ｂ２）内に配置されていることを特徴とする請求項１記載の衛生用品。
【請求項３】
前記外側領域（１０ｂ２）における前記吸収コア（２２）の前記端縁とそれぞれの大腿用開口との間の横方向（Ｑ）の間隔（７０）は少なくとも５ｃｍ、特に少なくとも７ｃｍ、さらに特に少なくとも９ｃｍであることを特徴とする請求項２記載の衛生用品。
【請求項４】
前記伸縮要素（Ｅ）の縦方向成分（ＬＬ）の長さは４．５〜１９．０ｃｍ、特に６．５〜１７．０ｃｍ、さらに特に７．５〜１５．０ｃｍであることを特徴とする請求項１，２または３記載の衛生用品。
【請求項５】
前記伸縮要素（Ｅ）の横方向成分（ＱＱ）の長さは４．０〜１５．０ｃｍ、特に５．０〜１３．０ｃｍ、さらに特に６．２〜１２．０ｃｍであることを特徴とする請求項１，２，３または４記載の衛生用品。
【請求項６】
それぞれの大腿用開口（８ａ，ｂ）の前記背側の股領域（１０ｂ）の前記内側領域（１０ｂ１）は前記それぞれの大腿用開口（８ａ，ｂ）の第３の区域（３１）に沿って配置された第３の糸状または帯状伸縮手段（３）を有することを特徴とする請求項２〜５のいずれか１項記載の衛生用品。
【請求項７】
前記第１および／または第２および／または第３の糸状または帯状伸縮手段（１，２，３）は第１の大腿用開口（８ａ）から出発して前記吸収コア（２２）の下を通って前記股領域を横断し、反対側において縦中心軸（Ｌ）を中心とした鏡像をなしてさらなる第２の大腿用開口（８ｂ）に沿って延びていることを特徴とする先行する請求項のいずれか１項記載の衛生用品。
【請求項８】
前記吸収コア（２２）の下を通る前記伸縮手段（１，２，３）は特に熱および／または圧力および／またはレーザ作用および／または超音波の使用によりかつ／または切断により少なくとも一定区間にわたってそれらの伸縮作用が奪われていることを特徴とする請求項７記載の衛生用品。
【請求項９】
前記吸収コア（２２）の下を通る前記伸縮手段（１，２，３）は応力除去されて延びていることを特徴とする請求項７または８記載の衛生用品。
【請求項１０】
前記第１の伸縮手段（１）は前記第３の伸縮手段（３）から縦方向に、前記第２の伸縮手段（２）が前記第３の伸縮手段（３）から離間しているよりもさらに広く離間していることを特徴とする先行する請求項のいずれか１項記載の衛生用品。
【請求項１１】
前記本体形成外被（２１）は背側部（４）および腹側部（６）ならびに前記股領域（１０）の特に前記背側部および／または腹側部に隣接する領域にも横方向に延びる帯状または糸状伸縮手段（６１）を有していることを特徴とする先行する請求項のいずれか１項記載の衛生用品。
【請求項１２】
前記横方向に延びる帯状または糸状伸縮手段（６）は前記吸収コア（２２）の下を通る区間でそれらの伸縮作用が奪われていることを特徴とする請求項１１記載の衛生用品。
【請求項１３】
前記腹側の股領域（１０ａ）においてそれぞれの大腿用開口（８ａ，ｂ）は、腰部開口近接領域（４０）と、股中心近接領域（４２）と、両者の間に配置された中間領域（４１）とを有しており、しかも、前記腰部開口近接領域（４０）と前記股中心近接領域（４２）と前記中間領域（４１）とはそれぞれ伸縮手段（４４）を有し、前記伸縮手段（４４）に生ずる力はそれぞれ横方向成分を有しており、前記腰部開口近接領域（４０）における前記横方向成分は前記中間領域（４１）および／または前記股中心近接領域におけるそれよりも大きく、前記中間領域（４１）における前記横方向成分は前記股中心近接領域（４２）におけるそれよりも大きいことを特徴とする先行する請求項のいずれか１項記載の衛生用品。
【請求項１４】
前記大腿用開口（８ａ，ｂ）の前記腰部開口近接領域（４０）の前記伸縮手段（４４）はもっぱら、基本的に横方向に配向された糸状または帯状伸縮手段（６１）によって形成されていることを特徴とする請求項１３記載の衛生用品。
【請求項１５】
前記中間領域（４１）の前記伸縮手段（４４）は前記第１の糸状または帯状伸縮手段（１）の腰部開口近接区域（１ａ）によると共に基本的に横方向に配向された糸状または帯状伸縮手段（６１）によって形成されていることを特徴とする請求項１３または１４記載の衛生用品。
【請求項１６】
前記股中心近接領域（４２）の前記伸縮手段（４４）はもっぱら前記第１の糸状または帯状伸縮手段（１）の股中心近接区域（１ｂ）によって形成されていることを特徴とする請求項１３，１４または１５記載の衛生用品。
【請求項１７】
前記吸収コア（２２）の両側に、前記吸収コアの長手方向に延びる伸縮シート区域（９）を有するシート要素（７）が設けられていることを特徴とする先行する請求項のいずれか１項記載の衛生用品。
【請求項１８】
前記吸収コア（２２）は身体側がトップシート（１３）によって覆われ、反身体側がバックシート（１４）によって下支えされていることを特徴とする先行する請求項のいずれか１項記載の衛生用品。
【請求項１９】
前記背側の股領域（１０ｂ）は前記腹側の股領域（１０ａ）よりも長いことを特徴とする先行する請求項のいずれか１項記載の衛生用品。
【請求項２０】
それぞれの大腿用開口（８ａ，ｂ）の前記第１から第３までの区域（３０，３１，３２）の長さ（１−Ｌ，２−Ｌ，３−Ｌ）の和は２０〜６０ｃｍ、とりわけ２５〜５５ｃｍ、さらにとりわけ２７〜５０ｃｍ、さらにとりわけ２９〜４８ｃｍであることを特徴とする先行する請求項のいずれか１項記載の衛生用品。
【請求項２１】
それぞれの大腿用開口（８ａ，ｂ）の前記第１から第３までの区域（３０，３１，３２）の長さ（１−Ｌ，２−Ｌ，３−Ｌ）の和とそれぞれの大腿用開口の周長との比は最大にて０．７、特に最大にて０．６、さらに特に最大にて０．５５、さらに特に最大にて０．５であることを特徴とする先行する請求項のいずれか１項記載の衛生用品。